(57)【要約】【課題】  比較的簡単な構成で余り処理負荷をかけずに、液晶表示パネルのアスペクト比とは異なるアスペクト比の映像を表示させる場合にフリッカの少ない映像表示を実現しながら、画面の上下あるいは左右の無画像領域（黒表示領域）の画面コーナー部分等に発生する色むらを解消することができる液晶表示装置を提供する。【解決手段】  入力映像信号のアスペクト比を設定するアスペクト比設定部１１と、設定されたアスペクト比を検出するアスペクト比検出回路１２と、検出されたアスペクト比と液晶表示パネル１６のアスペクト比とに基づき、無画像領域に相当する映像信号に対してはコントラスト向上に優れた第１極性反転処理を行う一方、無画像領域以外の有効画像領域に相当する映像信号に対してはフリッカ軽減に優れた第２極性反転処理を行う処理手段（タイミングコントローラ１３、選択回路１４、ＬＣＤドライバ１５）とを備えた。【選択図】        図１
2007233237.tif 000002
【特許請求の範囲】
【請求項１】
液晶表示パネルのアスペクト比とは異なるアスペクト比の入力映像信号を表示する際に、無画像領域は黒表示する液晶表示装置において、
前記入力映像信号のアスペクト比を設定するアスペクト比設定手段と、前記アスペクト比設定手段で設定されたアスペクト比を検出するアスペクト比検出手段と、前記アスペクト比検出手段で検出されたアスペクト比と前記液晶表示パネルのアスペクト比とに基づき、前記無画像領域に相当する映像信号に対してはコントラスト向上に優れた第１極性反転処理を行う一方、前記無画像領域以外の有効画像領域に相当する映像信号に対してはフリッカ軽減に優れた第２極性反転処理を行う処理手段とを備えたことを特徴とする液晶表示装置。
【請求項２】
前記処理手段は、前記第１極性反転処理としてフィールド反転処理を行うことを特徴とする請求項１記載の液晶表示装置。
【請求項３】
前記アスペクト比検出手段は、前記アスペクト比設定手段からアスペクト比の設定がない場合には、前記液晶表示パネル上の所定の一つ又は複数の画素に対応する映像信号についてその輝度が所定時間以上一定の輝度レベルを下回ったかどうかを検出し、この検出結果と前記液晶表示パネル上における前記一つ又は複数の画素の位置との関係から入力映像信号のアスペクト比を検出することを特徴とする請求項１又は請求項２記載の液晶表示装置。
【請求項４】
前記液晶表示パネル上における前記一つ又は複数の画素の位置は、画面四隅のうちの一つ又は複数の角又は画面四縁のうちの一つ又は複数の縁の所定の箇所であることを特徴とする請求項３記載の液晶表示装置。
【請求項５】
前記アスペクト比検出手段は、前記アスペクト比設定手段からアスペクト比の設定がない場合で、受信放送信号中に入力映像信号のアスペクト比を示す情報が存在する場合は、このアスペクト比情報を利用して入力映像信号のアスペクト比を検出することを特徴とする請求項１又は請求項２記載の液晶表示装置。
【発明の詳細な説明】
【技術分野】
【０００１】
本願発明は、映像信号を極性反転することで液晶表示パネルを交流駆動する液晶プロジェクターや液晶テレビジョン等の液晶表示装置に係わり、特に液晶表示パネルのアスペクト比とは異なるアスペクト比の入力映像信号を表示する際に、無画像領域は黒表示する液晶表示装置に関するものである。
【背景技術】
【０００２】
従来より、マトリックス型の液晶表示パネルを用いた液晶表示装置においては、液晶への直流電圧印加による画像焼き付きを防止するために、映像信号の極性を一定期間毎に反転させる交流駆動を行っている。この交流駆動には、１フィールド毎に全画素の極性を反転させるフィールド反転（１Ｆ反転）と、１水平ライン毎に極性を反転し、これを更にフィールド毎に反転させるライン反転（１Ｈ反転）がある。更に、その他の反転方式として、フィールド反転を基本としながらも隣接画素で極性を逆にしたコラム反転、コラム反転とライン反転を組み合わせたコラムライン反転などがある。
【０００３】
図３に、交流駆動されるマトリックス型の液晶表示パネルに印加されるチャージ状態の状態遷移を示す。同図（Ａ）はフィールド反転（１Ｆ反転）の場合を示し、このフィールド反転では、Nフィールド→Ｎ＋１フィールド→Ｎ＋２フィールドと、１フィールド毎に全画素の極性を反転させている。同図（Ｂ）のライン反転（１Ｈ反転）の場合では、Ｎフィールド→Ｎ＋１フィールド→Ｎ＋２フィールドの遷移において、１水平ライン毎に極性を反転させると共に、これを１フィールド毎に反転させている。
【０００４】
ＴＦＴ(Thin Film Transistor)液晶表示パネルの断面例を図４に示す。この液晶表示パネルは同図のように、液晶層１の前後面（図では上下面）にそれぞれ配置される多数の画素電極２，２，…と、対向電極３とを備え、画素電極２，２間と対向した位置（画素の境界部）にはいわゆるブラックマトリックスと呼ばれる遮光層４がそれぞれ設けられている。そして、遮光層４は画素関口率を向上させるべく狭小化される傾向にある。
【０００５】
このようなアクティブマトリックス型のＴＦＴ液晶表示パネルにおいて、ライン反転（１Ｈ反転）によれば、図４に示すように逆極性であるプラスチャージの画素電極２とマイナスチャージの画素電極２とが隣接するため、フリッカは視認されにくい。しかし、遮光層４と、隣接する画素電極２，２間に渡って位置する画素境界部（図４の点線楕円で示す部分）では、画素電極２，２に印加される電圧が打ち消しあうため、液晶配向の乱れによって光漏れが生じ、黒表示時のコントラスト特性の低下を招きやすい。通常は、フリッカが視認されにくい１Ｈ反転駆動を用いて表示駆動を行っている。
【０００６】
ここで、アスペクト比が例えば１６：９のワイド液晶表示パネルを用いた液晶表示装置に、アスペクト比が例えば２．３５：１のシネマスコープサイズの映像（映画）を表示させた場合、表示画像が表示領域に対して横長表示となるため、画面の上下に無画像領域が発生し、その部分は通常黒表示となる。
【０００７】
しかしながら、液晶表示パネルの視野角特性に起因した色むらのために、図５に示すように、表示画面５の上下にあって本来黒表示されるべき無画像領域６の上下左右コーナー部分等に色むら７が発生し、そのために本来映像が表示されない無画像領域（黒表示領域）６で色付きが生じ、表示品位を損なう場合があった。
【０００８】
このような問題点を改善できる技術としては特許文献１に記載の技術がある。この特許文献１では、画素がマトリクス状に配列されてなる表示部と、入力される映像信号のレベルが黒レベルまたはその近傍であることを検知して検知信号を出力する検知手段と、入力される映像信号を受けて前記検知手段から検知信号が出力されたときは１フィールド期間の周期にて基準電圧を中心に極性が反転（フィールド反転）する映像信号を生成して前記表示部を駆動し、前記検知信号が出力されないときは１水平走査期間の周期にて基準電圧を中心に極性が反転（ライン反転）する映像信号を生成して前記表示部を駆動する駆動手段とを備えた表示装置が開示されている。すなわち、入力される映像信号のレベルが黒レベルまたはその近傍であるときはフィールド反転制御し、入力される映像信号のレベルが黒レベルおよびその近傍以外のときはライン反転制御するものであり、これによって、黒表示時の高コントラスト特性と、フリッカの少ない映像表示を両立しようとしている。
【特許文献１】特開２００２−１３２２２７号公報（G09G 3/36）
【発明の開示】
【発明が解決しようとする課題】
【０００９】
しかしながら、上記特許文献１記載の技術では、入力される映像信号の各画素の信号レベルが黒レベルまたはその近傍であることを検知して検知信号を出力する検知手段が必要になり、その検知精度を高めようとすると、簡単な回路での実現は容易でない。また、全ての画素について上記検知処理を行っているので、その処理負荷が極めて大きくなる。
【００１０】
そこで、本願発明はこのような課題を解決するためになされたものであり、比較的簡単な構成で余り処理負荷をかけずに、液晶表示パネルのアスペクト比とは異なるアスペクト比の映像を表示させる場合にフリッカの少ない映像表示を実現しながら、画面の上下あるいは左右の無画像領域（黒表示領域）の画面コーナー部分等に発生する色むらを解消することができる液晶表示装置を提供することを目的とするものである。
【課題を解決するための手段】
【００１１】
上記のような目的を達成するために、本願の請求項１に係る発明は、液晶表示パネルのアスペクト比とは異なるアスペクト比の入力映像信号を表示する際に、無画像領域は黒表示する液晶表示装置において、前記入力映像信号のアスペクト比を設定するアスペクト比設定手段と、前記アスペクト比設定手段で設定されたアスペクト比を検出するアスペクト比検出手段と、前記アスペクト比検出手段で検出されたアスペクト比と前記液晶表示パネルのアスペクト比とに基づき、前記無画像領域に相当する映像信号に対してはコントラスト向上に優れた第１極性反転処理を行う一方、前記無画像領域以外の有効画像領域に相当する映像信号に対してはフリッカ軽減に優れた第２極性反転処理を行う処理手段とを備えたことを特徴とするものである。
【００１２】
請求項２に係る発明は、前記処理手段が、前記第１極性反転処理としてフィールド反転処理を行うことを特徴とするものである。
【００１３】
請求項３に係る発明は、前記アスペクト比検出手段が、前記アスペクト比設定手段からアスペクト比の設定がない場合には、前記液晶表示パネル上の所定の一つ又は複数の画素に対応する映像信号についてその輝度が所定時間以上一定の輝度レベルを下回ったかどうかを検出し、この検出結果と前記液晶表示パネル上における前記一つ又は複数の画素の位置との関係から入力映像信号のアスペクト比を検出することを特徴とするものである。
【００１４】
請求項４に係る発明は、前記液晶表示パネル上における前記一つ又は複数の画素の位置が、画面四隅のうちの一つ又は複数の角又は画面四縁のうちの一つ又は複数の縁の所定の箇所であることを特徴とするものである。
【００１５】
請求項５に係る発明は、前記アスペクト比検出手段が、前記アスペクト比設定手段からアスペクト比の設定がない場合で、受信放送信号中に入力映像信号のアスペクト比を示す情報が存在する場合は、このアスペクト比情報を利用して入力映像信号のアスペクト比を検出することを特徴とするものである。
【発明の効果】
【００１６】
本願の請求項１記載の発明によれば、入力映像信号のアスペクト比をユーザがアスペクト比設定手段を用いて設定することにより、設定されたアスペクト比をアスペクト比検出手段が検出し、処理手段が、アスペクト比検出手段で検出されたアスペクト比と液晶表示パネルのアスペクト比とに基づき、無画像領域に相当する映像信号に対してはコントラスト向上に優れた第１極性反転処理を行う一方、無画像領域以外の有効画像領域に相当する映像信号に対してはフリッカ軽減に優れた第２極性反転処理を行う。これにより、比較的簡単な構成で余り処理負荷をかけずに、液晶表示パネルのアスペクト比とは異なるアスペクト比の映像を表示させる場合にフリッカの少ない映像表示を実現しながら、画面の上下あるいは左右の無画像領域（黒表示領域）のコントラスト向上を図ることにより、それらの画面コーナー部分等に発生する色むらを解消することができる。
【００１７】
請求項２記載の発明によれば、無画像領域における第１極性反転処理としてフィールド反転処理を行うことにより、無画像領域における隣接する画素に印加される電圧の極性を同一極性とする。これにより、逆極性に起因した相隣り合う画素間の光漏れが無くなり、それに伴う液晶表示パネルの視野角特性による色むらが解消される。従って、従来、黒表示されるべき無画像領域の上下左右コーナー部分等に発生していた色むらが解消されることになる。
【００１８】
請求項３記載の発明によれば、アスペクト比設定手段からアスペクト比の設定がない場合には、アスペクト比検出手段が、液晶表示パネル上の所定の一つ又は複数の画素に対応する映像信号についてその輝度が所定時間以上一定の輝度レベルを下回ったかどうかを検出し、この検出結果と液晶表示パネル上における前記一つ又は複数の画素の位置との関係から入力映像信号のアスペクト比を検出するので、ユーザが入力映像信号のアスペクト比を知らない場合でも、余り処理負荷をかけずに上述した効果を実現することができる。
【００１９】
請求項４記載の発明によれば、液晶表示パネル上における前記一つ又は複数の画素の位置を、画面四隅のうちの一つ又は複数の角又は画面四縁のうちの一つ又は複数の縁の所定の箇所とすることで、従来構成（映像の全ての画素の輝度レベルを検出する構成）に比べて処理負荷を大幅に軽減することができる。
【００２０】
請求項５記載の発明によれば、アスペクト比設定手段からアスペクト比の設定がない場合には、アスペクト比検出手段が、受信放送信号中に存在する入力映像信号のアスペクト比を示す情報を利用して入力映像信号のアスペクト比を検出するので、ユーザが入力映像信号のアスペクト比を知らない場合でも、より少ない処理負荷で上述した効果を実現することができる。
【発明を実施するための最良の形態】
【００２１】
以下、本願発明の実施形態を図面を参照して詳細に説明する。
【００２２】
図１は、本願発明の一実施形態に係る液晶表示装置の要部構成を示すブロック図であり本実施形態のものは、アスペクト比設定部１１、アスペクト比検出回路１２、タイミングコントローラ１３、選択回路１４、ＬＣＤ(Liquid Crystal Display)ドライバ１５、液晶表示パネル１６等から構成されている。
【００２３】
アスペクト比設定部１１は、ユーザが入力映像信号のアスペクト比を設定するためのもので、入力映像信号の各種のアスペクト比に対応する表示モードボタンや自動設定ボタン等からなる。
【００２４】
アスペクト比検出回路１２は、上記アスペクト比設定部１１で入力映像信号のアスペクト比が設定されている場合には、そのアスペクト比情報をタイミングコントローラ１３に出力するが、未設定あるいは自動設定の場合は、入力される映像信号のアスペクト比を後述するようにして検出して、そのアスペクト比情報をタイミングコントローラ１３に出力する。
【００２５】
タイミングコントローラ１３は、同期信号（水平及び垂直同期信号）に基づいて、液晶表示パネル１６を駆動するための各種タイミング信号を生成して液晶表示パネル１６に出力すると共に、１Ｈ反転信号（１ライン毎に極性を反転させるための制御信号）と１Ｆ反転信号（１フィールド毎に極性を反転させるための制御信号）を生成して選択回路１４に出力する。
【００２６】
そして、上記タイミングコントローラ１３は、アスペクト比検出回路１２から入力映像信号のアスペクト比情報を受け取り、この入力映像信号のアスペクト比情報と予め分かっている液晶表示パネル１６のアスペクト比情報とに基づき、液晶表示パネル１６の無画像部分指示信号を生成して、これを選択回路１４に送出する。なお、極性反転の切替を行わない従来回路においては、前記いずれか一方の極性反転信号を生成してＬＣＤドライバに供給すれば足りるが、本実施形態においては、選択回路１４で選択した方の信号を極性反転信号としてＬＣＤドライバ１５に供給する。
【００２７】
ＬＣＤドライバ１５は、映像信号を極性反転信号に基づき極性反転して液晶表示パネル１６を駆動する。なお、液晶表示パネル１６は、電界を印加しない状態で光が透過するノーマルホワイトモードのパネル構成であるので、無画像部分では映像信号として高電界の黒レベル信号が出力される。
【００２８】
本実施形態では、上記タイミングコントローラ１３と選択回路１４とＬＣＤドライバ１５によって本願発明の処理手段が構成されている。
【００２９】
以下、図２に基づいてアスペクト比情報の生成の具体例について説明する。ここで、図２（Ａ）ではアスペクト比４：３の液晶表示パネル１６Ａを示しており、上段の図は当該液晶表示パネル１６Ａにアスペクト比４：３のＳＤＴＶ（Standard Definition TV）の映像が表示された状態を示しており、中段の図は当該液晶表示パネル１６Ａにアスペクト比１６：９のＨＤＴＶ(High Definition TV）の映像が表示された状態を示しており、下段の図は当該液晶表示パネル１６Ａにアスペクト比２．３５：１のシネマスコープの映像が表示された状態を示している。アスペクト比検出回路１２は、液晶表示パネル１６Ａ上の所定の二つの画素（検出点）３１，３２に相当する映像信号（所定ラインにおける所定番目の画素の信号）についてその輝度が所定時間以上一定の輝度レベルを下回ったかどうかを検出し、この検出結果と液晶表示パネル１６Ａ上における前記二つの画素３１，３２の位置との関係からアスペクト比を検出する。この例では、前記画素３１，３２は画面上縁の中央に設定している。
【００３０】
図２（Ａ）の上段の例では、二つの画素３１，３２について共に一定の輝度レベルを下回ることはなかったとの検出がなされ、入力映像信号のアスペクト比は４：３であるとの情報をタイミングコントローラ１３に与える。この場合、タイミングコントローラ１３は液晶表示パネル１６Ａのアスペクト比（４：３）と同じであることから、無画像領域（黒表示領域)は存在しないと判断する。図２（Ａ）の中段の例では、画素３１についてだけ一定の輝度レベルを下回ったとの検出がなされ、入力映像信号のアスペクト比は１６：９であるとの情報をタイミングコントローラ１３に与える。この場合、タイミングコントローラ１３は、入力映像信号のアスペクト比（１６：９）と液晶表示パネル１６Ａのアスペクト比（４：３）に基づき、無画像領域（黒表示領域）が画面上と画面下の所定範囲に存在すると判断する。この所定範囲（ライン数）に関する情報は、液晶表示パネル１６Ａのアスペクト比（４：３）は予め分かっているので、入力映像信号のアスペクト比が１６：９であるとの情報に対応付けてタイミングコントローラ１３の図示しないメモリに保持しておけばよい。図２（Ａ）の下段の例では、二つの画素３１，３２の両方について一定の輝度レベルを下回ったとの検出がなされ、入力映像のアスペクト比は２．３５：１であるとの情報をタイミングコントローラ１３に与える。この場合、タイミングコントローラ１３は、入力映像信号のアスペクト比（２．３５：１）と液晶表示パネル１６Ａのアスペクト比（４：３）に基づき、無画像領域（黒表示領域）が画面上と画面下の所定範囲に存在すると判断する。この所定範囲（ライン数）に関する情報は、上記と同様にアスペクト比が２．３５：１であるとの情報に対応付けてタイミングコントローラ１３の図示しないメモリに保持しておけばよい。
【００３１】
また、図２（Ｂ）ではアスペクト比１６：９の液晶表示パネル１６Ｂを示しており、上段の図は当該液晶表示パネル１６Ｂにアスペクト比４：３のＳＤＴＶの映像が表示された状態を示しており、中段の図は当該液晶表示パネル１６Ｂにアスペクト比１６：９のＨＤＴＶの映像が表示された状態を示しており、下段の図は当該液晶表示パネル１６Ｂにアスペクト比２．３５：１のシネマスコープの映像が表示された状態を示している。アスペクト比検出回路１２は、液晶表示パネル１６Ｂ上の所定の二つの画素３３，３４に相当する映像信号（所定ラインにおける所定番目の画素の信号）についてその輝度が所定時間以上一定の輝度レベルを下回ったかどうかを検出し、この検出結果と液晶表示パネル１６Ｂ上における前記二つの画素３３，３４の位置との関係からアスペクト比を検出する。この例では、前記画素３３，３４は画面右上の角に設定している。
【００３２】
図２（Ｂ）の上段の例では、二つの画素３３，３４の両方が一定の輝度レベルを下回ったとの検出がなされ、入力映像のアスペクト比は４：３であるとの情報をタイミングコントローラ１３に与える。この場合、タイミングコントローラ１３は、入力映像信号のアスペクト比（４：３）と液晶表示パネル１６Ｂのアスペクト比（１６：９）に基づき、無画像領域（黒表示領域）が画面左と画面右の所定範囲に存在すると判断する。この所定範囲（ライン開始端からの画素数及びライン終端からの画素数）に関する情報は、上記と同様にアスペクト比が４：３であるとの情報に対応付けてタイミングコントローラ１３の図示しないメモリに保持しておけばよい。図２（Ｂ）の中段の例では、二つの画素３３，３４について共に一定の輝度レベルを下回ることはなかったとの検出がなされ、入力映像のアスペクト比は１６：９であるとの情報をタイミングコントローラ１３に与える。この場合、タイミングコントローラ１３は液晶表示パネル１６Ｂのアスペクト比（１６：９）と同じであることから、無画像領域（黒表示領域）は無いと判断する。図２（Ｂ）の下段の例では、画素３３についてだけ一定の輝度レベルを下回ったとの検出がなされ、入力映像のアスペクト比は２．３５：１であるとの情報をタイミングコントローラ１３に与える。この場合、タイミングコントローラ１３は、入力映像信号のアスペクト比（２．３５：１）と液晶表示パネル１６Ｂのアスペクト比（１６：９）に基づき、無画像領域（黒表示領域）が画面上と画面下の所定範囲に存在すると判断する。この所定範囲（ライン数）に関する情報は、上記と同様にアスペクト比が２．３５：１であるとの情報に対応付けてタイミングコントローラ１３の図示しないメモリに保持しておけばよい。
【００３３】
なお、アスペクト比には、上記以外にも、ビスタの１．８５：１、ヨーロッパビスタの１．６６：１などがある。
【００３４】
前記タイミングコントローラ１３は、前記アスペクト比情報を得て前記メモリから無画像部分の範囲（ライン数、或いは、ライン開始端からの画素数及びライン終端からの画素数）情報を得る。そして、前記同期信号の入力タイミングで、前記情報に基づいて無画像部分指示信号を選択回路１４に与えることを開始する。選択回路１４は、無画像部分指示信号がオフのときはタイミングコントローラ１３からの１Ｈ反転信号を極性反転信号としてＬＣＤドライバ１５に与えるが、無画像部分指示信号がオンときはタイミングコントローラ１３からの１Ｆ反転信号を極性反転信号としてＬＣＤドライバ１５に与える。
【００３５】
このように、液晶表示パネル１６に表示された映像のなかに無画像領域が存在する場合には、この無画像領域（黒表示領域）に対しては１Ｆ反転信号による極性反転が行われるので、黒表示領域のコントラストが向上し、これにより画面コーナー部分等に発生する色むらを解消することができる。一方、有効画像領域に対しては１Ｈ反転信号による極性反転が行われるので、有効画像領域のフリッカ軽減が図れる。
【００３６】
具体的に説明すると、ユーザが入力映像信号のアスペクト比を認識している場合は、ユーザが予めアスペクト比設定部１１のボタン操作をすることにより、アスペクト比検出回路１２に、例えばアスペクト比１６：９の液晶表示パネル１６Ｂに表示される映像信号が例えばアスペクト比２．３５：１のシネマスコープモードであることを認識させる。アスペクト比検出回路１２は、このアスペクト比情報をタイミングコントローラ１３に与え、タイミングコントローラ１３から１Ｈ反転信号及び１Ｆ反転信号と共にオフ又はオンの無画像部分指示信号を選択回路１４に出力することにより、選択回路１４において有効画像表示部分はライン反転駆動とし、無画像部分はフィールド反転駆動の黒レベル信号とする。従って、表示領域の上下部分（無画像領域）は自動的にフィールド反転信号で駆動され、信号レベルは黒レベルが印加される。このとき、全表示領域のコーナー部分の色むらを、色むらの指標として用いられるＣＩＥ色度座標の（ｘ，ｙ）の面内色差（Δｘ，Δｙ）で表現すると、従来の全画面ライン反転駆動時の（Δｘ，Δｙ）＝（0.023，0.054）に対して、上下の無画像領域（黒表示領域）をフィールド反転駆動した場合は、（Δｘ，Δｙ）＝（0.007，0.010）となり大幅に改善された。
【００３７】
一方、上記と同様な条件で、ユーザが入力映像信号のアスペクト比を知らない場合は、ユーザが予めアスペクト比設定部１１の自動設定ボタンを操作するか、あるいは未設定とすることにより、アスペクト比検出回路１２が入力映像信号のアスペクト比を上述したようにして検出して、タイミングコントローラ１３に与える。タイミングコントローラ１３からは１Ｈ反転信号及び１Ｆ反転信号と共にオフ又はオンの無画像部分指示信号を選択回路１４に出力することにより、選択回路１４において画像表示部分はライン反転駆動とし、無画像部分はフィールド反転駆動の黒レベル信号とする。これにより、表示領域の上下部分（無画像領域）は黒レベル表示される。このとき、上記と同様に面内色差を（Δｘ，Δｙ）で表現すると、従来の全画面ライン反転駆動時の（Δｘ，Δｙ）＝（0.020，0.048）に対して、上下の無画像領域（黒表示領域）をフィールド反転駆動した場合は、（Δｘ，Δｙ）＝（0.007，0.008）となり大幅に改善された。なお、前記との測定値の差は測定誤差である。
【００３８】
以上のように、本実施形態によれば、比較的簡単な構成で余り処理負荷をかけずに、液晶表示パネル１６のアスペクト比とは異なるアスペクト比の映像を表示させる場合にフリッカの少ない映像表示を実現しながら、画面の上下あるいは左右の無画像領域（黒表示領域）のコントラスト向上により、それらの画面コーナー部分等に発生する色むらを解消することができる。
【００３９】
すなわち、無画像領域（黒表示領域）では、逆極性に起因した相隣り合う画素間の光漏れが無くなり、それに伴う液晶表示パネル１６の視野角特性による色むらが解消される。従って、従来、黒表示されるべき無画像領域の上下左右コーナー部分等に発生していた色むらが解消されることになる。
【００４０】
また、アスペクト比設定部１１からアスペクト比の設定がない場合には、アスペクト比検出回路１２が、液晶表示パネル１６上の所定の一つ又は複数の画素に対応する映像信号についてその輝度が所定時間以上一定の輝度レベルを下回ったかどうかを検出し、この検出結果と液晶表示パネル１６上における前記一つ又は複数の画素の位置との関係から入力映像信号のアスペクト比を検出するので、ユーザが入力映像信号のアスペクト比を知らない場合でも、余り処理負荷をかけずに上述した効果を実現することができる。
【００４１】
なお、上記の例では、二つの画素３１，３２或いは３３，３４を上側の中央位置或いは上側の右角位置に設定したが、これに限られるものではなく、二つの画素を下側の中央位置或いは下側の右角位置に設定することもできる。また、２つの画素を上側の左角位置若しくは下側の左角位置に設定することもできる。また、検出できるアスペクト比の種類が少なくなるものの、一つの画素位置だけをアスペクト比検出用に設定してもよい。逆に、三つ以上の画素位置をアスペクト比検出用に設定してもよい。検出点となる三つ以上の画素を設定したとしても、従来構成（映像の全ての画素の輝度レベルを検出する構成）に比べて処理負荷の大幅な軽減が図れる。
【００４２】
また、例えば放送受信によって得た信号中に入力映像信号のアスペクト比を示す情報が存在する場合は、このアスペクト比情報を利用して入力映像信号のアスペクト比を検出することができる。具体的には、液晶表示装置のマイクロコンピュータが、受信放送信号中の入力映像信号のアスペクト比を示す情報によって入力映像信号のアスペクト比を認識して、タイミングコントローラ１３に与えることができる。このような構成では、前記マイクロコンピュータがアスペクト比検出回路１２の役割を担うことになる。このように構成することにより、ユーザが入力映像信号のアスペクト比を知らない場合でも、より少ない処理負荷で上述した効果を実現することができる。
【図面の簡単な説明】
【００４３】
【図１】本願発明の一実施形態に係る液晶表示装置の要部構成を示すブロック図。
【図２】アスペクト比情報の生成の具体例を示す説明図。
【図３】交流駆動されるマトリックス型の液晶表示パネルに印加されるチャージ状態の状態遷移を示す図。
【図４】ＴＦＴ液晶表示パネルの断面例を示す模式図。
【図５】従来の問題点を示すための説明図。
【符号の説明】
【００４４】
１１  アスペクト比設定部
１２  アスペクト比検出回路
１３  タイミングコントローラ
１４  選択回路
１５  ＬＣＤドライバ
１６  液晶表示パネル
【図１】
2007233237.tif 000003
【図２】
2007233237.tif 000004
【図３】
2007233237.tif 000005
【図４】
2007233237.tif 000006
【図５】
2007233237.tif 000007